(57)【要約】【課題】発泡樹脂ブロックを用いた階段状の法面と所定のネットとを簡便に接続することが可能であり、法面におけるネットの設置箇所を臨機応変に変更することも可能な、盛土構造体用固定部材を提供する。【解決手段】複数の発泡樹脂ブロックが積み重ねられて垂直面及び水平面が繰り返されてなる階段状の法面と、前記法面の前記水平面に設置される植生ポットのネットと、を接続するための固定部材であって、前記ネットが固定される第１の部分と、上下に隣接する前記発泡樹脂ブロックの間に挟み込んで設置される第２の部分と、を備える盛土構造体用固定部材とする。【選択図】図２
2017066723.tif 000002
【特許請求の範囲】
【請求項１】
複数の発泡樹脂ブロックが積み重ねられて垂直面及び水平面が繰り返されてなる階段状の法面と、前記法面の前記水平面に設置される植生ポットのネットと、を接続するための固定部材であって、
前記ネットが固定される第１の部分と、上下に隣接する前記発泡樹脂ブロックの間に挟み込んで設置される第２の部分と、
を備える盛土構造体用固定部材。
【請求項２】
前記第２の部分を前記発泡樹脂ブロックに定着させる第３の部分をさらに備える、請求項１に記載の盛土構造体用固定部材。
【請求項３】
前記固定部材の第１の部分が前記法面の垂直面に沿った形状を有する、請求項１又は２に記載の盛土構造体用固定部材。
【請求項４】
複数の発泡樹脂ブロックが積み重ねられて垂直面及び水平面が繰り返されてなる階段状の法面と、
前記法面の前記水平面に配置される植生ポットと、
請求項１〜３のいずれか一項に記載の固定部材と、
を備え、
前記固定部材の前記第１の部分に、前記植生ポットのネットが固定され、
前記固定部材の前記第２の部分が、上下に隣接する前記発泡樹脂ブロックの間に挟み込まれている、
盛土構造体。
【請求項５】
前記ネットは、
帯状の前側ネット、帯状の後側ネット、及び、前記前側ネットと前記後側ネットとを接続するジグザグ状の内側ネットを備え、
前記内側ネットは前側及び後側にジグザグの頂点を有し、
前記ジグザグの前側の頂点において、前記前側ネットと前記内側ネットとが、前側連結材を介して連結され、
前記ジグザグの後側の頂点において、前記後側ネットと前記内側ネットとが、後側連結材を介して連結されている、
請求項４に記載の盛土構造体。
【請求項６】
前記固定部材の第１の部分に、前記後側ネット及び／又は前記内側ネットが固定されている、請求項５に記載の盛土構造体。
【請求項７】
前記固定部材を複数備える、請求項４〜６のいずれか一項に記載の盛土構造体。
【請求項８】
前記植生ポットが、前記法面の垂直面に対して離隔して配置されている、請求項４〜７のいずれか一項に記載の盛土構造体。
【請求項９】
前記植生ポットと前記法面の垂直面との間に透水層を有する、請求項８に記載の盛土構造体。
【請求項１０】
前記固定部材の第１の部分が前記法面の水平面から垂直方向に沿って上方に延在しており、前記固定部材の第１の部分に前記植生ポットのネットの内壁が掛止されている、請求項４〜９のいずれか一項に記載の盛土構造体。
【請求項１１】
複数の発泡樹脂ブロックを積み重ねることにより、垂直面及び水平面を有する階段状の法面を形成する、法面形成工程と、
上下に隣接する前記発泡樹脂ブロックの間に、請求項１〜３のいずれか一項に記載の固定部材の第２の部分を挟み込むようにして設置する、固定部材設置工程と、
前記固定部材の第１の部分にネットを固定する、ネット固定工程と、
前記ネットの内側に土又は土砂を充填して植生ポットとする、植生ポット形成工程と、
を備える、盛土構造体の施工方法。
【請求項１２】
前記ネットは、
帯状の前側ネット、帯状の後側ネット、及び、前記前側ネットと前記後側ネットとを接続するジグザグ状の内側ネットを備え、
前記内側ネットは前側及び後側にジグザグの頂点を有し、
前記内側ネットの前記ジグザグの前側の頂点において、前記前側ネットと前記内側ネットとが、前側連結材を介して連結され、
前記内側ネットの前記ジグザグの後側の頂点において、前記後側ネットと前記内側ネットとが、後側連結材を介して連結されている、
請求項１１に記載の施工方法。
【請求項１３】
前記固定部材の第１の部分に、前記後側ネット及び／又は前記内側ネットを固定する、請求項１２に記載の施工方法。
【請求項１４】
前記固定部材を複数設置する、請求項１１〜１３のいずれか一項に記載の施工方法。
【請求項１５】
前記固定部材の第１の部分を、前記法面の垂直面に対して離隔して配置する、請求項１１〜１４のいずれか一項に記載の施工方法。
【請求項１６】
前記植生ポットと前記法面の垂直面との間に透水層を形成する、透水層形成工程をさらに備える、請求項１５に記載の施工方法。
【請求項１７】
前記固定部材設置工程において、前記固定部材の第１の部分が前記法面の水平面から垂直方向に沿って上方に延在するように、前記固定部材を設置し、
前記ネット固定工程において、前記ネットを前記第１の部分に掛止させる、
請求項１１〜１６のいずれか一項に記載の施工方法。
【発明の詳細な説明】
【技術分野】
【０００１】
本発明は盛土構造体用固定部材、盛土構造体、及び、盛土構造体の施工方法に関する。
【背景技術】
【０００２】
特許文献１に開示されているように、発泡樹脂ブロックを用いて階段状の法面を構成するとともに、当該法面を緑化するために、当該法面の水平方向及び垂直方向に植生ポットを複数配置する方法が知られている。ここで、特許文献１では、植生ポットのネットを法面の垂直面に連結部を介して連結することで、植生ポットと法面の垂直面との間の隙間を解消している。
【先行技術文献】
【特許文献】
【０００３】
【特許文献１】特開２０１４−１０９１５９号公報
【発明の概要】
【発明が解決しようとする課題】
【０００４】
特許文献１には、法面へのネットの具体的な固定方法は記載されていないものの、ネットを法面の垂直面に連結する場合、予め法面の垂直面に連結具を取り付けておく必要があるものと考えられる。例えば、法面のネットを連結する位置に貫通孔を設け、当該貫通孔にロッドを挿通させ、挿通させたロッド等を背面側で固定して、前面側にネットを固定するための部材を取り付ける。しかしながら、法面に連結具を取り付けた後は、連結具の位置を変更することが容易でない。すなわち、特許文献１に開示された形態にあっては、ネットの固定箇所を臨機応変に変更することができなかった。また、法面に予め連結具を取り付ける分だけ手間がかかるという問題もあった。
【０００５】
そこで、本発明は、発泡樹脂ブロックを用いた階段状の法面と植生ポットのネットとを簡便に接続することが可能であり、法面におけるネットの固定箇所を臨機応変に変更することも可能な、盛土構造体用固定部材を提供することを課題とする。また、当該固定部材を備えた盛土構造体を提供すること、及び、当該固定部材を用いて盛土構造体を施工する方法を提供することを課題とする。
【課題を解決するための手段】
【０００６】
上記課題を解決すべく本発明は以下の構成を採る。すなわち、
第１の本発明は、複数の発泡樹脂ブロックが積み重ねられて垂直面及び水平面が繰り返されてなる階段状の法面と、法面の水平面に設置される植生ポットのネットと、を接続するための固定部材であって、ネットが固定される第１の部分と、上下に隣接する発泡樹脂ブロックの間に挟み込んで設置される第２の部分と、を備える盛土構造体用固定部材である。
【０００７】
本発明において、「発泡樹脂ブロック」とは、垂直面及び水平面を有するものであって、軽量盛土を構成するブロックとして使用され得るものであればよい。
「植生ポット」とは上方に開口した一つの閉じられた領域に土又は土砂が充填されたものである。
「ネット」とは、植生ポットの内壁の少なくとも一部（好ましくは全部）を構成するものである。
「上下に隣接する発泡樹脂ブロックの間」とは、積み重ねられた複数の発泡樹脂ブロックのうち、上下に隣接する発泡樹脂ブロックの接触界面部分（重なり部分）をいう。本発明では、上側発泡樹脂ブロックの下側面と下側発泡樹脂ブロックの上側面とが互いに重なり合うこととなる。本発明においては、この重なり部分に固定部材を挟み込むことで、固定部材を法面に強固に固定しながら設置する。
【０００８】
第１の本発明において、第２の部分を発泡樹脂ブロックに定着させる第３の部分をさらに備えることが好ましい。これにより、法面に対して固定部材をより強固に固定しながら設置することができる。
【０００９】
第１の本発明において、固定部材の第１の部分が法面の垂直面に沿った形状を有する、ことが好ましい。すなわち、固定部材の第１の部分が垂直方向に延在していることが好ましい。これにより、ネットを固定部材に掛止するようにして、簡便に固定することができる。
【００１０】
第２の本発明は、複数の発泡樹脂ブロックが積み重ねられて垂直面及び水平面が繰り返されてなる階段状の法面と、法面の水平面に配置される植生ポットと、第１の本発明に係る固定部材と、を備え、固定部材の第１の部分に、植生ポットのネットが固定され、固定部材の第２の部分が、上下に隣接する発泡樹脂ブロックの間に挟み込まれている、盛土構造体である。
【００１１】
第２の本発明において、ネットは、帯状の前側ネット、帯状の後側ネット、及び、前側ネットと後側ネットとを接続するジグザグ状の内側ネットを備え、内側ネットは前側及び後側にジグザグの頂点を有し、ジグザグの前側の頂点において、前側ネットと内側ネットとが、前側連結材を介して連結され、ジグザグの後側の頂点において、後側ネットと内側ネットとが、後側連結材を介して連結されていることが好ましい。このように、前側ネット、後側ネット及び内側ネットが連結されている場合、植生ポットのネット枠として利用することができる。また、ネット枠全体として一体のまま折り畳んで持ち運ぶことができ、且つ、盛土構造体の施工時は、折り畳まれたネット枠を順次展開して開口を拡張しつつ、固定部材に順次固定することができる。詳しくは後述する。
【００１２】
このようなネット（ネット枠）は、固定部材の第１の部分に、後側ネット及び／又は内側ネットが固定されていることが好ましい。
【００１３】
第２の本発明においては、固定部材を複数備えることが好ましい。これにより、法面とネットとをより強固に接続することができる。
【００１４】
第２の本発明においては、植生ポットが、法面の垂直面に対して離隔して配置されていてもよい。本発明においては、固定部材の設置位置を容易に変更でき、植生ポットのネットと法面の垂直面との間の隙間の幅を容易に変更することができる。
【００１５】
この場合、植生ポットと法面の垂直面との間に透水層を有するものであってもよい。「透水層」とは、例えば、植生ポットと法面の垂直面との間の隙間に砕石や土砂を充填することにより構成することができる。或いは、当該隙間に不織布や板状排水材等を挟み込んで透水層としてもよい。
【００１６】
第２の本発明において、固定部材の第１の部分が法面の水平面から垂直方向に沿って上方に延在しており、固定部材の第１の部分にネットが掛止されていることが好ましい。
【００１７】
第３の本発明は、複数の発泡樹脂ブロックを積み重ねることにより、垂直面及び水平面を有する階段状の法面を形成する、法面形成工程と、上下に隣接する発泡樹脂ブロックの間に、第１の本発明に係る固定部材の第２の部分を挟み込むようにして設置する、固定部材設置工程と、固定部材の第１の部分にネットを固定する、ネット固定工程と、ネットの内側に土又は土砂を充填して植生ポットとする、植生ポット形成工程と、を備える、盛土構造体の施工方法である。
【００１８】
第３の本発明において、ネットは、帯状の前側ネット、帯状の後側ネット、及び、前側ネットと後側ネットとを接続するジグザグ状の内側ネットを備え、内側ネットは前側及び後側にジグザグの頂点を有し、内側ネットのジグザグの前側の頂点において、前側ネットと内側ネットとが、前側連結材を介して連結され、内側ネットのジグザグの後側の頂点において、後側ネットと内側ネットとが、後側連結材を介して連結されていることが好ましい。このように、前側ネット、後側ネット及び内側ネットが連結されている場合、植生ポットのネット枠として利用することができる。また、ネット枠全体として一体のまま折り畳んで持ち運ぶことができ、且つ、盛土構造体の施工時は、折り畳まれたネット枠を順次展開して開口を拡張しつつ、固定部材に順次固定することができる。詳しくは後述する。
【００１９】
このようなネット（ネット枠）を用いた場合、固定部材の第１の部分に、後側ネット及び／又は内側ネットを固定することができる。
【００２０】
第３の本発明において、固定部材を複数設置することが好ましい。これにより、法面とネットとをより強固に接続することができる。
【００２１】
第３の本発明においては、固定部材の第１の部分を、法面の垂直面に対して離隔して配置することができる。これにより、結果として、植生ポットを、法面の垂直面に対して離隔して配置することもできる。
【００２２】
この場合、植生ポットと法面の垂直面との間に透水層を形成する、透水層形成工程をさらに備える方法としてもよい。
【００２３】
第３の本発明に係る固定部材設置工程において、固定部材の第１の部分が法面の水平面から垂直方向に沿って上方に延在するように、固定部材を設置し、ネット固定工程において、ネットを固定部材の第１の部分に掛止させることが好ましい。
【発明の効果】
【００２４】
本発明に係る盛土構造体用固定部材によれば、発泡樹脂ブロックを用いた階段状の法面と植生ポットのネットとを簡便に接続することが可能であり、法面におけるネットの固定箇所を臨機応変に変更することも可能である。
【図面の簡単な説明】
【００２５】
【図１】盛土構造体用固定部材１０を説明するための概略図である。
【図２】盛土構造体１００を説明するための概略図である。
【図３】ネット５の一例を説明するための概略図である。
【図４】盛土構造体１００の施工方法を説明するための平面概略図である。
【図５】盛土構造体１００の施工方法を説明するための平面概略図である。
【図６】盛土構造体１００の施工方法を説明するための平面概略図である。
【図７】盛土構造体１００の施工方法を説明するための平面概略図である。
【図８】盛土構造体１００の施工方法を説明するための平面概略図である。
【図９】盛土構造体１００の施工方法を説明するための平面概略図である。
【図１０】盛土構造体１００の施工方法を説明するための平面概略図である。
【図１１】盛土構造体用固定部材２０、３０を説明するための概略図である。
【図１２】盛土構造体２００を説明するための概略図である。
【図１３】ネット１５、２５を説明するための平面概略図である。
【発明を実施するための形態】
【００２６】
１．盛土構造体用固定部材
図１、２を参照しつつ、本発明に係る盛土構造体用固定部材について説明する。図１、２に示すように、一実施形態に係る本発明の盛土構造体用固定部材１０は、複数の発泡樹脂ブロック４（４ａ、４ｂ、４ｃ、…）が積み重ねられて垂直面及び水平面が繰り返されてなる階段状の法面と、法面の水平面に設置される植生ポットのネット５（５ａ、５ｂ、５ｃ、…）と、を接続するための固定部材であって、ネット５が固定される第１の部分１と、上下に隣接する発泡樹脂ブロック４、４（４ａ及び４ｂ、又は、４ｂ及び４ｃ）の間に挟み込んで設置される第２の部分２と、を備えている。また、図１に示す固定部材１０にあっては、第２の部分２を発泡樹脂ブロック４に定着させる第３の部分３をさらに備えている。
【００２７】
１．１．第１の部分
固定部材１０の第１の部分１は、ネット５を固定する部分である。第１の部分１は、ネット５を固定可能な形状であればよく、ネット５の形状に合わせて適宜決定され得る。例えば、図１、２に示すように、垂直方向に延在する棒状部とすることができる。この場合、第１の部分１が法面の垂直面に沿った形状となる。この場合、後述するように、第１の部分１にネット５を掛止して固定することができる。
【００２８】
１．２．第２の部分
固定部材１０の第２の部分２は、上下に隣接する発泡樹脂ブロック４、４（４ａ及び４ｂ、又は、４ｂ及び４ｃ）の間に挟み込んで設置される部分である。図２に示すように、法面においては、積み重ねられた発泡樹脂ブロックのうち、発泡樹脂ブロック４ｂの下側面と発泡樹脂ブロック４ａの上側面とが互いに重なり合うとともに、発泡樹脂ブロック４ｃの下側面と発泡樹脂ブロック４ｂの上側面とが互いに重なり合っている。本発明においては、この重なり部分に固定部材１０の第２の部分２を挟み込むことで、固定部材１０を法面に強固に固定しながら設置することができる。このように、第２の部分２は、発泡樹脂ブロック５、５の重なり部分に挟み込むことが可能な形状であればよい。例えば、図１に示すように、水平方向に延在する棒状部とすることができる。この場合、第２の部分２が上下に隣接する発泡樹脂ブロックの重なり部分に沿った形状となる。
【００２９】
１．３．第３の部分
上述の通り、発泡樹脂ブロック４、４の重なり部分に第２の部分２を挟み込むことで、固定部材１０を法面に強固に固定できる。一方で、固定部材１０に極めて大きな荷重がかかった場合でも固定部材１０が法面から脱落することがないように、固定部材１０の第２の部分２を発泡樹脂ブロック４に定着させる工夫を施すことが好ましい。すなわち、固定部材１０は第２の部分２を発泡樹脂ブロック４に定着させる第３の部分３を備えることが好ましい。例えば、図１、２に示すように、第２の部分２の少なくとも一部に、第３の部分３として、第２の部分２の長手とは交差する方向に突出する突起を設けることで、当該突起を発泡樹脂ブロック４にくい込ませて、固定部材１０の第２の部分２を発泡樹脂ブロック４に一層強固に固定することができる。このような第３の部分３を設けた場合であっても、例えば発泡樹脂ブロック４を捲り上げることで、固定部材１０の位置を容易に変更可能である。第３の部分３の形態としては、例示した突起に限られるものではない。第２の部分２と発泡樹脂ブロック４との間の摩擦係数を増大させるような処理を、第２の部分２の表面の少なくとも一部に施してもよい。或いは、第２の部分２の先端を折り曲げる等して第３の部分を設けてもよい。
【００３０】
固定部材１０は、上記したような第１の部分１、第２の部分２を備えており、好ましくはさらに第３の部分３を備えている。ここで、固定部材１０は、発泡樹脂ブロック４と植生ポットのネット５とを接続する部材であり、ある程度の剛性・柔軟性・強度等が必要である。この観点から、固定部材１０は金属又はプラスチックからなることが好ましい。金属としては、鉄、ステンレス鋼、チタン、アルミニウム等が挙げられる。プラスチックとしては、ポリプロピレン、ポリエチレン、ポリ塩化ビニル、ＡＢＳ樹脂、ポリカーボネート、繊維強化プラスチック等が挙げられる。金属やプラスチックにより固定部材１０を構成することで、第１の部分１と第２の部分２とを溶接や成形等で容易に一体化することができる。
【００３１】
固定部材１０の形状・大きさは、発泡樹脂ブロック４により構成される法面の水平面及び垂直面の大きさや、ネット５の形状・大きさによって適宜決定すればよい。固定部材１０の第１の部分１を図１に示すような棒状部とする場合は、当該棒状部の長さをネット５の高さ（図２の紙面上下方向幅）の半分以上とすることが好ましい。また、固定部材１０の第２の部分２を図１に示すような棒状部とする場合は、当該棒状部の長さを第１の部分１の長さの半分以上とすることが好ましい。さらに、挟み込みによる発泡樹脂ブロック４の変形をできるだけ抑える観点から、第２の部分２の厚み（図２の紙面上下方向の厚み）はできるだけ薄いほうが好ましい。当該厚みは、好ましくは１０ｍｍ以下である。
【００３２】
以上のような固定部材１０によれば、固定部材１０を固定するための固定具等を別途用意する必要がなく、発泡樹脂ブロック４、４の上記重なり部分に第２の部分２を挟み込むことによって固定部材１０を法面に簡単に固定できる。また、固定部材１０の第１の部分１にネット５を容易に固定することができる。さらに、発泡樹脂ブロック４、４の上記重なり部分において固定部材１０の位置を適宜変更することにより、法面におけるネット５の位置決めを適宜修正可能である。すなわち、固定部材１０によれば、発泡樹脂ブロック４を用いた階段状の法面と植生ポットのネット５とを簡便に接続することが可能であり、法面におけるネット５の固定箇所を臨機応変に変更することも可能である。
【００３３】
２．盛土構造体
本発明は、盛土構造体としての側面も有する。図１、２に示すように、本発明に係る盛土構造体１００は、複数の発泡樹脂ブロック４が積み重ねられて垂直面及び水平面が繰り返されてなる階段状の法面と、法面の水平面に配置される植生ポットと、固定部材１０と、を備え、固定部材１０の第１の部分１に、植生ポットのネット５が固定され、固定部材１０の第２の部分２が、上下に隣接する発泡樹脂ブロック４、４の間に挟み込まれている。
【００３４】
２．１．発泡樹脂ブロック
発泡樹脂ブロック４は、垂直面及び水平面を有するものであって、軽量盛土を構成するブロックとして従来から用いられてきたものを、特に限定されることなく用いることができる。例えば、発泡スチロールブロック等が挙げられる。発泡樹脂ブロック４は垂直面及び水平面を有していればよく、その大きさは特に限定されるものではない。盛土構造体の設計に合わせて適宜決定すればよい。
尚、発泡樹脂ブロック４自体は公知であり、例えば、ＪＳＰ社製「スチロダイアブロック」として市販されている。
【００３５】
２．２．ネット
ネット５は、植生ポットの内壁の少なくとも一部（好ましくは全部）を構成するものである。盛土構造体１００において植生ポットは上方に開口したもので、開口の内側に土又は土砂が充填されている。ネット５の形態は特に限定されるものではないが、図３に示すようなものが好ましい。図３に示すように、好ましい形態のネット５は、帯状の前側ネット５ｘ、帯状の後側ネット５ｙ、及び、前側ネット５ｘと後側ネット５ｙとを接続するジグザグ状の内側ネット５ｚを備え、内側ネット５ｚは前側及び後側にジグザグの頂点７ｘ、７ｙを有し、ジグザグの前側の頂点７ｘにおいて、前側ネット５ｘと内側ネット５ｚとが、前側連結材６ｘを介して連結され、ジグザグの後側の頂点７ｙにおいて、後側ネット５ｙと内側ネット５ｚとが、後側連結材６ｙを介して連結されている。図３（Ｂ）に示すように、前側ネット５ｘと内側ネット５ｚとが互い違いとなるように、前側ネット５ｘの間隙に内側ネット５ｚの前側頂点７ｘを挿入したうえで、ここに前側連結材６ｘを差し込むことで、前側ネット５ｘと内側ネット５ｚとを容易に連結することができる。後側ネット５ｙと内側ネット５ｚとの連結についても同様である。図３に示すような各ネット５ｘ、５ｙ、５ｚは、例えば、高密度ポリエチレンやポリプロピレン等によって構成することができる。このようなネット５によれば、各ネット５ｘ、５ｙ、５ｚにより画定されるネット枠によって植生ポットの内壁を構成することができる。
尚、図３に示したようなネット５は意匠登録第１４４６９４７号として公知であり、例えば、三菱樹脂株式会社製「テンサー」として市販されている。
【００３６】
図２に示すように、盛土構造体１００においては、固定部材１０の第１の部分１が、法面の水平面から垂直方向に沿って上方に延在している。このような固定部材１０に対して図３に示すようなネット５を固定する場合は、例えば、固定部材１０の第１の部分１にネット５の一部を掛止させればよい。具体的には、固定部材１０の第１の部分１に後側ネット５ｙ及び／又は内側ネット５ｚを固定することが好ましい。
【００３７】
盛土構造体１００においては、固定部材１０を複数備えることが好ましい。これにより、ネット５を法面に一層強固に接続することができる。例えば、複数の固定部材１０が、法面の垂直面及び水平面の交差部に沿った方向（盛土構造体の左右方向、図２の紙面奥手前方向）に、所定の間隔で設置されていることが好ましい。特に、図３に示すようなネット５を法面に接続する場合、ネット５の後側連結材６ｙ、６ｙ、…と同等の間隔で、固定部材１０を複数設置することが好ましい。
【００３８】
上述したように、盛土構造体１００は表面の緑化のため植生ポットを備える。具体的には、少なくともネット５によって形成された枠体内に土又は土砂が充填されることで、植生ポットが形成される。植生ポットの構成自体は公知であり、ここでは説明を省略する。
【００３９】
本発明においては、法面に対して固定部材１０の設置箇所を適宜変更可能である。例えば、固定部材１０の第１の部分１と法面の垂直面とを離隔させることも可能である。当該垂直面から離隔された第１の部分１にネット５を固定することで、ネット５が法面の垂直面に対して離隔して配置されているような盛土構造体とすることができる。すなわち、植生ポットと法面の垂直面との間に適宜隙間を設けることができる。
【００４０】
本発明では、植生ポットと法面の垂直面との間に各種機能層を設けることができる。例えば、植生ポットと法面の垂直面との間に透水層を設けることが好ましい。具体的には、植生ポットと法面の垂直面との間の隙間に砕石や土砂を充填することにより透水層を構成することができる。或いは、当該隙間に不織布や板状排水材等を挟み込んで透水層としてもよい。透水層に好適な不織布としては三菱樹脂インフラテック社製「ダイヤベース」等が挙げられ、透水層に好適な板状排水材としては三菱樹脂インフラテック社製「ダイヤドレーン」等が挙げられる。
【００４１】
３．盛土構造体の施工方法
本発明は盛土構造体の施工方法としての側面も有する。すなわち、複数の発泡樹脂ブロックを積み重ねることにより、垂直面及び水平面を有する階段状の法面を形成する、法面形成工程と、上下に隣接する発泡樹脂ブロックの間に、本発明に係る固定部材の第２の部分を挟み込むようにして設置する、固定部材設置工程と、前記固定部材の第１の部分にネットを固定する、ネット固定工程と、ネットの内側に土又は土砂を充填して植生ポットとする、植生ポット形成工程と、を備える盛土構造体の施工方法である。以下、図４〜１０を参照しつつ、盛土構造体１００の施工方法について説明する。
【００４２】
３．１．法面形成工程
図４〜９に示すように、本発明においては、複数の発泡樹脂ブロック４（４ａ、４ｂ、４ｃ）を順次積み重ねることにより、垂直面及び水平面を有する階段状の法面を形成する。法面形成工程自体は公知の方法により実施可能であり、説明は省略する。ただし、本発明では、発泡樹脂ブロック４を積み重ねる際、或いは、積み重ねた後で、上下に隣接する発泡樹脂ブロック４、４の間に固定部材１０の第２の部分２を挟み込む必要がある。
【００４３】
３．２．固定部材設置工程
図４〜９（特に、図４及び９）に示すように、本発明においては、上下に隣接する発泡樹脂ブロック４、４の間に、固定部材１０の第２の部分２を挟み込むようにして設置する。例えば、下側の発泡樹脂ブロック４ａ（４ｂ）の水平面に固定部材１０の第２の部分２を載置しながら、この上に上側の発泡樹脂ブロック４ｂ（４ｃ）を重ねることで、固定部材１０の第２の部分２を発泡樹脂ブロック４ａ、４ｂ（４ｂ、４ｃ）の間に挟み込むことができる。或いは、発泡樹脂ブロック４ａ、４ｂ（４ｂ、４ｃ）を積み重ねた後で、上側の発泡樹脂ブロック４ｂ（４ｃ）の一部を捲り上げて、ここに固定部材１０の第２の部分２を載置し、再び発泡樹脂ブロック４ｂ（４ｃ）を被せることで、固定部材１０の第２の部分２を発泡樹脂ブロック４ａ、４ｂ（４ｂ、４ｃ）の間に挟み込むことができる。固定部材１０の設置箇所は、ネット５の形態や法面の形態、さらには盛土構造体１００の形態に合わせて適宜調整すればよい。例えば、上述したように、植生ポットと法面の垂直面との間に隙間を設ける場合は、固定部材１０の第１の部分１が法面の垂直面と離隔するようにする。また、例えば、ネット５をより強固に固定するため、法面の垂直面及び水平面の交差部分に沿った方向（図４、９の紙面左右方向）に、所定の間隔で固定部材１０を複数配置する。
【００４４】
３．３．ネット固定工程
図４〜９（特に、図６、７）に示すように、本発明においては、固定部材１０の第１の部分１にネット５を固定する。例えば、上述の固定部材設置工程において、固定部材１０の第１の部分１が法面の水平面から垂直方向に沿って上方に延在するように、固定部材１０を設置した場合、ネット固定工程においては、当該第１の部分１にネット５を掛止させることで（図３に示すようなネット５の場合は、上方に延在する第１の部分１のさらに上方からネット５を挿し込むように掛止させることで）、固定部材１０の第１の部分にネット５を固定することができる。図３に示すようなネット５を用いる場合は、ネット５の後側ネット５ｙ及び／又は内側ネット５ｚを複数の固定部材１０に固定することが好ましい。本発明では、固定部材１０の設置箇所を臨機応変に変更可能であり、固定部材１０の設置箇所を修正しながらネット５を固定することも可能である。また、図３に示すようなネット５を設置する際は、折り畳まれたネット５を徐々に展開しながら、固定部材１０に順次掛止させていくことも可能である。例えば、折り畳まれたネット５を途中まで展開して一の固定部材１０に掛止し、展開により形成されたネット５の開口に土又は土砂を充填して植生ポットとし、引き続き、ネット５を展開して上記一の固定部材１０の隣の固定部材１０に掛止し、土又は土砂を充填し、以下これらを繰り返すことも可能である。尚、第１の部分１にネット５を固定する形態としては図示した形態に限定されない。ネット５の開口の内壁を第１の部分１に掛止する形態以外に、ネット５を第１の部分１に結び付ける形態等としてもよい。
【００４５】
尚、図示していないが、固定部材１０とは別個に固定杭を用いて、ネット５の前側ネット５ｘを固定してもよい。図４〜１０に示す形態においては、前側ネット５ｘは、その下方にあるネット５の開口の上に配置されることとなる。ここで、例えば図７に示すように、当該ネット５の下方にあるネット５は既に土又は土砂が充填されて植生ポットとされている。すなわち、下方の植生ポットの土又は土砂に固定杭を打ち込み、ここに当該ネット５の前側ネット５ｘを掛止することが可能である。これにより、当該ネット５の前側ネット５ｘの位置決めが可能であり、一方で後側ネット５ｙ及び／又は内側ネット５ｚを固定部材１０に固定することで、当該ネット５の開口を拡張した状態で保持できる。
【００４６】
本発明においては、上述したように、ネット５の開口に土又は土砂が充填されることで植生ポットが形成される。すなわち、図７、８に示すように、本発明に係る施工方法は、ネット５を固定部材１０に固定した後、或いは、固定しながら、ネット５の内側に土又は土砂を充填して植生ポットとする、植生ポット形成工程をさらに備えている。
【００４７】
また、本発明に係る施工方法においては、上述したように、植生ポットと法面の垂直面との間に透水層を形成する、透水層形成工程を行うことも可能である。透水層の詳細は上述した通りである。すなわち、砕石や土砂や不織布或いは板状排水材を用いて透水層を容易に形成することができる。
【００４８】
以上の通り、図４〜９に示すような法面形成工程、固定部材設置工程、ネット固定工程、及び、植生ポット形成工程を繰り返すことにより、盛土構造体１００を施工することができる（図１０）。本発明において、法面形成工程、固定部材設置工程、ネット固定工程、及び、植生ポット形成工程の順番は、盛土構造体を適切に施工できる限り限定されるものではなく、施工時に適宜決定すればよい。
【００４９】
以上、本発明に係る盛土構造体用固定部材、盛土構造体、及び、盛土構造体の施工方法について、具体例を挙げつつ説明した。しかしながら、本発明は上記した具体例に限定されるものではない。
【００５０】
例えば、本発明に係る盛土構造体用固定部材は、図１に示すような棒状の固定部材１０に限られず、例えば、図１１に示すような固定部材２０又は３０であってもよい。固定部材２０は、ネットが固定される第１の部分１１と、上下に隣接する発泡樹脂ブロックの間に挟み込んで設置される第２の部分１２と、第２の部分１２を発泡樹脂ブロックに定着させる第３の部分１３を備えている。また、固定部材３０は、ネットが固定される第１の部分２１と、上下に隣接する発泡樹脂ブロックの間に挟み込んで設置される第２の部分２２と、第２の部分２２を発泡樹脂ブロックに定着させる第３の部分２３を備えている。固定部材２０、３０のように、第２の部分１２、２２を板状とすることで、第１の部分１１、２１を垂直方向上方に延在させつつ（第１の部分１１、２１の横倒れを防止しつつ）、固定部材の第２の部分を発泡樹脂ブロック間に挟み込むことができる。
【００５１】
また、盛土構造体において、固定部材の設置の仕方は、図２に示すような形態に限られない。例えば、図１２に示すように、固定部材１０の第１の部分１が、第２の部分２が設置される発泡樹脂ブロック４の水平面よりも下方に垂下するようにしてもよい。このような形態であっても、固定部材１０の第２の部分２を発泡樹脂ブロック間に挟み込みつつ、第１の部分１にネット５を固定することができる。ただし、盛土構造体をより容易に施工できる観点から、図２に示すように、固定部材１０の第１の部分１が、発泡樹脂ブロック４の水平面から垂直方向上方に延在するようにすることが好ましい。
【００５２】
また、盛土構造体において、ネットの形態は、図３に示すような形態に限られない。植生ポットの内壁の少なくとも一部を構成するネットであればどのような形態であってもよい。例えば、図１３（Ａ）に示すような筒状のネット１５であってもよい。或いは、図１３（Ｂ）に示すような一本の帯状のネット２５であってもよい。ただし、植生ポットの内壁をネットのみで構成することができ、盛土構造体の施工時の作業性にも優れることから、図３に示すようなネット５ｘ、５ｙ、５ｚ等を備えたネット５とすることが好ましい。
【００５３】
また、本発明に係る盛土構造体においては、本発明に係る固定部材に加えて、従来の固定手段が併用されていてもよい。例えば、本願においては図示していないが、ネットの端部（図１０の紙面左右方向端部）は本発明に係る固定部材以外の固定手段（例えば、固定杭）によって法面に固定されていてもよい。
【産業上の利用可能性】
【００５４】
本発明に係る盛土構造体用固定部材は、発泡樹脂ブロックを利用した法面に植生ポットのネットを接続するための部材として利用可能である。
【符号の説明】
【００５５】
１  第１の部分
２  第２の部分
３  第３の部分
４（４ａ、４ｂ、４ｃ）  発泡樹脂ブロック
５（５ａ、５ｂ、５ｃ）  ネット
５ｘ  前側ネット
５ｙ  後側ネット
５ｚ  内側ネット
６ｘ  前側連結材
６ｙ  後側連結材
７ｘ  前側の頂点
７ｙ  後側の頂点
１０、２０、３０  固定部材
１００、２００  盛土構造体
【図１】
2017066723.tif 000003
【図２】
2017066723.tif 000004
【図３】
2017066723.tif 000005
【図４】
2017066723.tif 000006
【図５】
2017066723.tif 000007
【図６】
2017066723.tif 000008
【図７】
2017066723.tif 000009
【図８】
2017066723.tif 000010
【図９】
2017066723.tif 000011
【図１０】
2017066723.tif 000012
【図１１】
2017066723.tif 000013
【図１２】
2017066723.tif 000014
【図１３】
2017066723.tif 000015